(57)【要約】【課題】既設タンクの、補修とか補強等の作業を、制限を受けずに行なうことができる、仮設タンク装置を提供する。【解決手段】仮設タンク装置４は、既設タンク１の補修等の作業に伴い、既設タンク１に代わって用いられる。この仮設タンク装置４は、複数の仮設タンク５、５からなる。ここで、仮設タンク５、５の各々は、それら仮設タンク５、５を互いに連通させるためのタンク間接続部５ａ、５ａを有する。そして、複数の仮設タンク５、５のうちの一つの仮設タンク５は、既設タンク１に水を供給する第１供給管２に繋げるための、第１接続部５ｂを有する。さらに、複数の仮設タンク５、５のうちの一つの仮設タンク５は、既設タンク１の水を供給先に供給する第２供給管３に繋げるための、第２接続部５ｃを有する。【選択図】  図１
2004307037.tif 000002
【特許請求の範囲】
【請求項１】
上水、農水、工水、下水、油、排液等の、液体あるいは液状物用の、既設タンクの、補修、補強、建替え、点検、清掃あるいはタンク容量の増量等の各種の作業に伴い、前記既設タンクに代わって用いられる仮設タンク装置であって、
複数の仮設タンクを備え、
前記仮設タンクの各々は、それら仮設タンクを互いに連通させるためのタンク間接続部を有し、前記各仮設タンクにおける前記タンク間接続部同士が、直接あるいは中間部材を介して接続され、また、
前記複数の仮設タンクのうちの、少なくとも一つの仮設タンクは、前記既設タンクに液体あるいは液状物を供給する第１供給管に繋げるための、第１接続部を有し、そして、
前記複数の仮設タンクのうちの、少なくとも一つの仮設タンクは、前記既設タンクの液体あるいは液状物を供給先に供給する第２供給管に繋げるための、第２接続部を有することを特徴とする仮設タンク装置。
【請求項２】
前記各仮設タンクにおける前記タンク間接続部同士は、前記中間部材となる伸縮可撓継手を介して接続されることを特徴とする請求項１に記載の仮設タンク装置。
【請求項３】
前記仮設タンクには、前記タンク間接続部と前記第１接続部と前記第２接続部とのうちのいずれにもなり得る共用接続部が、複数設けられていることを特徴とする請求項１または２に記載の仮設タンク装置。
【請求項４】
前記仮設タンクは、積み上げが可能となるように形成されていることを特徴とする請求項１ないし３のいずれか１項に記載の仮設タンク装置。
【請求項５】
前記仮設タンクは、略直方体形状に形成されていることを特徴とする請求項４に記載の仮設タンク。
【請求項６】
前記仮設タンクは、液体あるいは液状物が入る袋と、その袋を液体あるいは液状物が入った状態で収容保護する保護枠体とを備えることを特徴とする請求項１ないし５のいずれか１項に記載の仮設タンク装置。
【請求項７】
上水、農水、工水、下水、油、排液等の、液体あるいは液状物用の、既設タンクの、補修、補強、建替え、点検、清掃あるいはタンク容量の増量等の各種の作業に伴い、前記既設タンクに代わって用いられる仮設タンク装置であって、
仮設タンクを備え、
前記仮設タンクは、前記既設タンクに液体あるいは液状物を供給する第１供給管に繋げるための、第１接続部と、前記既設タンクの液体あるいは液状物を供給先に供給する第２供給管に繋げるための、第２接続部とを有することを特徴とする仮設タンク装置。
【請求項８】
前記仮設タンクは、液体あるいは液状物が入る袋と、その袋を液体あるいは液状物が入った状態で収容保護する保護枠体とを備えることを特徴とする請求項７に記載の仮設タンク装置。
【請求項９】
前記仮設タンクは、前記既設タンクの外周に沿って並べられることを特徴とする請求項１ないし６のいずれか１項に記載の仮設タンク装置。
【請求項１０】
前記仮設タンクは、前記既設タンクの屋根の上に配置されることを特徴とする請求項１ないし８のいずれか１項に記載の仮設タンク装置。
【請求項１１】
前記仮設タンクは、前記既設タンクに近接して設けられた架台の上に配置されることを特徴とする請求項１ないし８のいずれか１項に記載の仮設タンク装置。
【発明の詳細な説明】
【０００１】
【発明の属する技術分野】
この発明は、配水池等の既設タンクの、補修等の作業に伴い、既設タンクに代わって用いられる、仮設タンク装置に関するものである。
【０００２】
【従来の技術】
従来、例えば配水場における、既設タンクとしての配水池にあっては、その配水池の補修とか補強等の作業を行なうことがあった。このとき、作業の内容によっては、配水他の内部の水を抜いて前記作業を行わなければならない場合もあった。そして、このように、配水池の内部の水を抜くためには、当然に、その配水池の稼動を止める必要があった。
【０００３】
【発明が解決しようとする課題】
ところで、前記配水池においては、その配水池の稼動を止めることができない場合もあり、この場合には、補修とか補強等の作業の範囲に制限を受けていた。
【０００４】
この発明は、上記した従来の欠点を解決するためになされたものであり、その目的とするところは、既設タンクの、補修とか補強等の作業を、制限を受けずに行なうことができる、仮設タンク装置を提供することにある。
【０００５】
また、他の目的は、限られた空間に配備することができる、仮設タンク装置を提供することにある。
【０００６】
【課題を解決するための手段】
この発明に係る仮設タンク装置は、前記目的を達成するために、次の構成からなる。すなわち、
請求項１に記載の発明に係る仮設タンク装置は、上水、農水、工水、下水、油、排液等の、液体あるいは液状物用の、既設タンクの、補修、補強、建替え、点検、清掃あるいはタンク容量の増量等の各種の作業に伴い、前記既設タンクに代わって用いられる仮設タンク装置である。この仮設タンク装置は、複数の仮設タンクを備える。ここで、前記仮設タンクの各々は、それら仮設タンクを互いに連通させるためのタンク間接続部を有し、前記各仮設タンクにおける前記タンク間接続部同士が、直接あるいは中間部材を介して接続される。そして、前記複数の仮設タンクのうちの、少なくとも一つの仮設タンクは、前記既設タンクに液体あるいは液状物を供給する第１供給管に繋げるための、第１接続部を有する。さらに、前記複数の仮設タンクのうちの、少なくとも一つの仮設タンクは、前記既設タンクの液体あるいは液状物を供給先に供給する第２供給管に繋げるための、第２接続部を有する。
【０００７】
この仮設タンク装置によると、仮設タンク装置は、複数の仮設タンクからなり、それら仮設タンクが、敷地に合わせて配置される。このとき、複数の仮設タンクは、タンク間接続部同士が直接あるいは中間部材を介して接続されることで、互いに連通し、一つの大きなタンクとして機能する。そして、複数の仮設タンクのうちのいずれかに設けられた第１接続部が、既設タンクに液体あるいは液状物を供給する第１供給管に繋げられる。さらに、複数の仮設タンクのうちのいずれかに設けられた第２接続部が、既設タンクの液体あるいは液状物を供給先に供給する第２供給管に繋げられる。このようにして、第１および第２供給管とこの仮設タンク装置との間にバイパス経路が形成されることとなる。そこで、既設タンクの液体あるいは液状物が抜かれ、その既設タンクの、補修、補強、建替え、点検、清掃あるいはタンク容量の増量等の作業が行なわれる。
【０００８】
また、請求項２に記載の発明に係る仮設タンク装置のように、請求項１に記載の仮設タンク装置において、前記各仮設タンクにおける前記タンク間接続部同士は、前記中間部材となる伸縮可撓継手を介して接続されてもよい。このように、各仮設タンクは、そのタンク間接続部同士が、伸縮可撓継手を介して接続されることで、仮設タンク同士の位置や向きのずれが吸収される。したがって、これら仮設タンクにおける接続が安定する。
【０００９】
また、請求項３に記載の発明に係る仮設タンク装置のように、請求項１または２に記載の仮設タンク装置において、前記仮設タンクには、前記タンク間接続部と前記第１接続部と前記第２接続部とのうちのいずれにもなり得る共用接続部が、複数設けられてもよい。このように、タンク間接続部と第１接続部と第２接続部とで、部品が供用化されることで、仮設タンク装置のコストが削減される。しかも、共用接続部を、タンク間接続部と第１接続部と第２接続部とのうちのいずれかに、適宜使い分けることで、仮設タンクの所要のレイアウトが容易に得られる。
【００１０】
また、請求項４に記載の発明に係る仮設タンク装置のように、請求項１ないし３のいずれか１項に記載の仮設タンク装置において、前記仮設タンクは、積み上げが可能となるように形成されていてもよい。これにより、仮設タンクを積み上げる段数を調整することで、仮設タンク装置の、必要とする容量を得ることが可能となる。
【００１１】
また、請求項５に記載の発明に係る仮設タンク装置のように、請求項４に記載の仮設タンクにおいて、前記仮設タンクは、略直方体形状に形成されていてもよい。このように、仮設タンクが略直方体形状となることから、この仮設タンクは、容易に積み上げられる。そして、この仮設タンクを、左右とか前後に並べる場合には、それら仮設タンクを密に並べることができ、設置場所のスペースが有効に使用される。
【００１２】
また、請求項６に記載の発明に係る仮設タンク装置のように、請求項１ないし５のいずれか１項に記載の仮設タンク装置において、前記仮設タンクは、液体あるいは液状物が入る袋と、その袋を液体あるいは液状物が入った状態で収容保護する保護枠体とを備えてもよい。このように仮設タンクを、袋と保護枠体とで構成することで、漏洩防止機能と強度とを備えた仮設タンクが簡単に製造される。
【００１３】
また、請求項７に記載の発明に係る仮設タンク装置は、上水、農水、工水、下水、油、排液等の、液体あるいは液状物用の、既設タンクの、補修、補強、建替え、点検、清掃あるいはタンク容量の増量等の各種の作業に伴い、前記既設タンクに代わって用いられる仮設タンク装置である。この仮設タンク装置は、仮設タンクを備える。ここで、前記仮設タンクは、前記既設タンクに液体あるいは液状物を供給する第１供給管に繋げるための、第１接続部と、前記既設タンクの液体あるいは液状物を供給先に供給する第２供給管に繋げるための、第２接続部とを有する。
【００１４】
この仮設タンク装置によると、仮設タンク装置は、仮設タンクを備え、その仮設タンクが、敷地に配置される。このとき、仮設タンクに設けられた第１接続部が、既設タンクに液体あるいは液状物を供給する第１供給管に繋げられる。さらに、仮設タンクに設けられた第２接続部が、既設タンクの液体あるいは液状物を供給先に供給する第２供給管に繋げられる。このようにして、第１および第２供給管とこの仮設タンク装置との間にバイパス経路が形成されることとなる。そこで、既設タンクの液体あるいは液状物が抜かれ、その既設タンクの、補修、補強、建替え、点検、清掃あるいはタンク容量の増量等の作業が行なわれる。
【００１５】
また、請求項８に記載の発明に係る仮設タンク装置のように、請求項７に記載の仮設タンク装置において、前記仮設タンクは、液体あるいは液状物が入る袋と、その袋を液体あるいは液状物が入った状態で収容保護する保護枠体とを備えてもよい。このように仮設タンクを、袋と保護枠体とで構成することで、漏洩防止機能と強度とを備えた仮設タンクが簡単に製造される。
【００１６】
また、請求項９に記載の発明に係る仮設タンク装置のように、請求項１ないし６のいずれか１項に記載の仮設タンク装置において、前記仮設タンクは、前記既設タンクの外周に沿って並べられてもよい。これにより、既設タンクの周りにまとまったスペースがない場合であっても、このように、仮設タンクを、既設タンクの外周に沿って並べることで、この仮設タンク装置を配備することが可能となる。
【００１７】
また、請求項１０に記載の発明に係る仮設タンク装置のように、請求項１ないし８のいずれか１項に記載の仮設タンク装置において、前記仮設タンクは、前記既設タンクの屋根の上に配置されてもよい。これにより、既設タンクの周りにスペースがない場合であっても、このように、仮設タンクを、既設タンクの屋根の上に配置することで、この仮設タンク装置を配備することが可能となる。
【００１８】
また、請求項１１に記載の発明に係る仮設タンク装置のように、請求項１ないし８のいずれか１項に記載の仮設タンク装置において、前記仮設タンクは、前記既設タンクに近接して設けられた架台の上に配置されてもよい。これにより、既設タンクの周りに、仮設タンクを直接置くだけのスペースがない場合であっても、このように、仮設タンクを、既設タンクに近接して設けられた架台の上に配置することで、この仮設タンク装置を配備することが可能となる。
【００１９】
【発明の実施の形態】
以下、この発明に係る仮設タンク装置の実施の形態を図面に基づいて説明する。
【００２０】
図１ないし図３は、本発明に係る仮設タンク装置の一実施の形態を示す。図中符号１は、上水、農水、工水、下水、油、排液等の、液体あるいは液状物用の、既設タンクであって、図示実施の形態においては、配水池とか貯水池とか調整池等の、例えば円形状の外周面を備えた既設タンクである。２は、前記既設タンク１に液体あるいは液状物としての水を供給する第１供給管である。３は、前記既設タンク１の、液体あるいは液状物としての水を供給先に供給する第２供給管である。４は、仮設タンク装置であり、前記既設タンク１の、補修、補強、建替え、点検あるいは清掃等、さらには、タンク容量の増量、屋根の架け替え、配管設備の取替え等の各種の作業に伴い、前記既設タンク１に代わって用いられる。
【００２１】
この仮設タンク装置４は、例えば鋼鉄製等の適宜材料からなる複数の小容量の仮設タンク５、５を備える。ここで、仮設タンク５、５の各々は、それら仮設タンク５、５を互いに連通させるためのタンク間接続部５ａ、５ａを有する。そして、各仮設タンク５、５におけるタンク間接続部５ａ、５ａ同士が、直接あるいは中間部材Ｍを介して接続される。また、複数の仮設タンク５、５のうちの、少なくとも一つの仮設タンク５は、前記第１供給管２に繋げるための第１接続部５ｂを有する。さらに、複数の仮設タンク５、５のうちの、少なくとも一つの仮設タンク５は、前記第２供給管３に繋げるための第２接続部５ｃを有する。
【００２２】
詳細には、各仮設タンク５、５におけるタンク間接続部５ａ、５ａ同士は、前記中間部材Ｍとなる伸縮可撓継手６、すなわち、接続部分の角度調整および長さ調整が可能な継手を介して接続される。そして、第１供給管２と第１接続部５ｂとは、第１仮設管７を用いて繋げられ、第２供給管３と第２接続部５ｃとは、第２仮設管８を用いて繋げられる。このとき、第１仮設管７と、第１供給管２や第１接続部５ｂとは、所要の接続具によって接続される。同様に、第２仮設管８と、第２供給管３や第２接続部５ｃとは、所要の接続具によって接続される。
【００２３】
具体的には、仮設タンク５は、円筒形状に形成されている。そして、仮設タンク５には、タンク間接続部５ａと第１接続部５ｂと第２接続部５ｃとのうちのいずれにもなり得る共用接続部Ｘが、複数設けられている。図示実施の形態においては、全ての仮設タンク５、５に、三つの共用接続部Ｘ、Ｘが設けられている。そこで、使用しない共用接続部Ｘは、遮蔽部材を用いて閉じられる。なお、図中符号９は、バルブである。また、図１において、二点鎖線で、敷地Ｓの範囲を示している（後述する図４および図５においても同様）。
【００２４】
ところで、この仮設タンク５は、複数が、例えば、既設タンク１の外周に沿って並べられる。そして、前述のように、仮設タンク５、５の各々が接続されて連通することで、仮設タンク装置４が形成される。そして、仮設タンク５、５のいずれかが、第１供給管２に、第１仮設管７を介して繋げられ、さらに、仮設タンク５、５のいずれかが、第２供給管３に、第２仮設管８を介して繋げられる。こうして、この仮設タンク装置４は、稼動可能な状態となる。
【００２５】
次に、以上の構成からなる仮設タンク装置４の作用効果について説明する。この仮設タンク装置４は、複数の独立した小容量の仮設タンク５、５を備えている。そして、それら仮設タンク５、５が、既設タンク１が設置された敷地Ｓに合わせて配置される。このとき、複数の仮設タンク５、５は、タンク間接続部５ａ、５ａ同士が中間部材Ｍとしの伸縮可撓継手６を介して接続されることで、互いに連通し、一つの大きなタンクとして機能する。そして、このように、全体に対して小型化された複数の仮設タンク５、５を、既設タンク１が配置された敷地Ｓに合わせて配置することで、その敷地Ｓの限られた空間に、この仮設タンク装置４を配備することができる。特に、既設タンク１の周りにまとまったスペースがない場合であっても、仮設タンク５を、既設タンク１の外周に沿って並べることで、この仮設タンク装置４を配備することが可能となる。しかも、各仮設タンク５、５は、そのタンク間接続部５ａ、５ａ同士が、伸縮可撓継手６を介して接続されることで、仮設タンク５、５同士の位置や向きのずれが吸収される。したがって、これら仮設タンク５、５における接続を安定させることができる。
【００２６】
そして、複数の仮設タンク５、５のうちのいずれかに設けられた第１接続部５ｂが、第１仮設管７を介して、既設タンク１に水を供給する第１供給管２に、繋げられる。さらに、複数の仮設タンク５、５のうちのいずれかに設けられた第２接続部５ｃが、第２仮設管８を介して、既設タンク１の水を供給先に供給する第２供給管３に繋げられる。このようにして、第１および第２供給管２、３とこの仮設タンク装置４との間にバイパス経路が形成されることとなる。そこで、既設タンク１の水が抜かれ、その既設タンク１の、補修、補強、建替え、点検、清掃あるいはタンク容量の増量等の作業が行なわれる。すなわち、仮設タンク５、５を敷地Ｓに配置することで、既設タンク１の、補修とか補強等の作業を、制限を受けずに行なうことができる。
【００２７】
また、タンク間接続部５ａと第１接続部５ｂと第２接続部５ｃとは、共用化された共用接続部Ｘからなり、このように、部品が共用化されることで、仮設タンク装置４のコストを削減することができる。しかも、共用接続部Ｘを、タンク間接続部５ａと第１接続部５ｂと第２接続部５ｃとのうちのいずれかに、適宜使い分けることで、仮設タンク５、５の所要のレイアウトを容易に得ることができる。
【００２８】
なお、本発明は、上述した実施の形態に限定されるわけではなく、その他種々の変更が可能である。例えば、仮設タンク５は、既設タンク１の外周に沿って並べられなくとも、敷地Ｓの形状によっては、図４に示すように、縦横に並べられてもよい。
【００２９】
また、仮設タンク５は、円筒形状でなくとも、図５および図６に示すように、略直方体形状であって、積み上げが可能となるように形成されてもよい。つまりは、例えばＦＲＰ等の合成樹脂製の仮設タンク５を略直方体形状に形成することで、これら仮設タンク５、５を容易に積み上げることができる。そして、これら仮設タンク５、５を、左右とか前後に並べる場合には、仮設タンク５、５を密に並べることができ、敷地Ｓ内の設置場所のスペースを有効に使用することができる。しかも、仮設タンク５、５を積み上げる段数を調整することで、仮設タンク装置４の、必要とする容量を適切に得ることが可能となる。ところで、図５は、仮設タンク５、５を、前後に二列、左右に三列となるよう並べた例を示しており、右端に配備された仮設タンク５、５は、それらのタンク間接続部５ａ、５ａ同士が、中間部材Ｍとしての接続管１０を介して接続されている。また、図６は、仮設タンク５、５を、前後に三列、左右に四列、そして、上下に二段となるよう並べた例を、接続部分を省略して示している。
【００３０】
また、図７および図８に示すように、仮設タンク５は、液体あるいは液状物としての水が入る袋５ｄと、その袋５ｄを水が入った状態で収容保護する保護枠体５ｅとからなっていてもよい。ここで、袋５ｄは、例えば、アラミド繊維等の繊維素材を用いた、合成樹脂製シート等からなる。また、保護枠体５ｅは、例えば、鋼製型枠等からなる。このように仮設タンク５を、袋５ｄと保護枠体５ｅとで構成することで、漏水（漏洩）防止機能と強度とを備えた仮設タンクを簡単に製造することができる。ただし、袋５ｄの材質により、その袋５ｄのみで強度が保たれる場合には、保護枠体５ｅは、無くともよい。ところで、図７は、仮設タンク５を、既設タンク１の外周に沿って並べた例を示している。このとき、仮設タンク５は、既設タンク１の外周に倣うように、例えば円弧状に、湾曲して形成されてもよいなど、その形状は、特に限定されない。また、図８は、仮設タンク５を、既設タンク１の屋根１ａの上に配置した例を示している。すなわち、既設タンク１の周りにスペースがない場合であっても、このように、仮設タンク５を、既設タンク１の屋根１ａの上に配置することで、この仮設タンク装置４を配備することが可能となる。もっとも、このように、既設タンク１の屋根１ａの上に配置される仮設タンク５は、液体あるいは液状体としての水が入る袋５ｄとその袋５ｄを収容保護する保護枠体５ｅとからなる仮設タンクに限定されるものではなく、どのような構造あるいは形状の仮設タンクであってもよい。
【００３１】
また、図９に示すように、仮設タンク５は、既設タンク１に近接して設けられた架台１１の上に配置されてもよい。すなわち、既設タンク１の周りに、仮設タンク５を直接置くだけのスペースがない場合であっても、このように、仮設タンク５を、既設タンク１に近接して設けられた架台１１の上に配置することで、この仮設タンク装置４を配備することが可能となる。
【００３２】
また、一つの既設タンク１に対して、この仮設タンク装置４が、一つ用いられてもよいが、複数用いられてもよい。また、反対に、複数の既設タンク１、１に対して、この仮設タンク装置４が、一つ用いられてもよい。
【００３３】
また、仮設タンク５、５におけるタンク間接続部５ａ、５ａ同士は、伸縮可撓継手６等の中間部材Ｍを介して接続されなくとも、中間部材Ｍを介すことなく、直接接続されてもよい。
【００３４】
また、仮設タンク装置４は、複数の仮設タンク５、５を備えなくとも、例えば図１０に示すように、一つの仮設タンク５を備えるのみでもよい。そして、この場合には、当然に、仮設タンク５は、タンク間接続部５ａは有せず、第１接続部５ｂと第２接続部５ｃとを有することとなる。
【００３５】
また、この仮設タンク装置４は、既設タンク１の、補修、補強、点検あるいは清掃等のメンテナンス作業とか、建替えやタンク容量の増量等の作業の後には撤去されるが、場合によっては、そのまま残し、既設タンク１と仮設タンク装置４とを併用してもよい。
【００３６】
また、既設タンク１は、円形状の外周面を備えたタンクでなくとも、矩形状とか楕円形状等、各種形状の外周面を備えたタンクであってもよいのは勿論である。
【００３７】
【発明の効果】
以上、詳述したところから明らかなように、この発明に係る仮設タンク装置によれば、次の効果がある。
【００３８】
請求項１および請求項９に記載された仮設タンク装置によれば、複数の仮設タンクを、敷地に合わせて配置することで、その敷地の限られた空間に、この仮設タンク装置を配備することができる。そして、このように、仮設タンクを配置することで、既設タンクの、補修とか補強等の作業を、制限を受けずに行なうことができる。
【００３９】
また、請求項２に記載された仮設タンク装置によれば、請求項１の効果に加えて、各仮設タンクは、そのタンク間接続部同士が伸縮可撓継手を介して接続されるので、仮設タンク同士の位置や向きのずれを吸収することができ、これら仮設タンクにおける接続を安定させることができる。
【００４０】
また、請求項３に記載された仮設タンク装置によれば、請求項１または２の効果に加えて、タンク間接続部と第１接続部と第２接続部とで、部品が供用化されることで、仮設タンク装置のコストを削減することができ、しかも、共用接続部を、タンク間接続部と第１接続部と第２接続部とのうちのいずれかに、適宜使い分けることで、仮設タンクの所要のレイアウトを容易に得ることができる。
【００４１】
また、請求項４に記載された仮設タンク装置によれば、請求項１ないし３のいずれか１項の効果に加えて、仮設タンクを積み上げる段数を調整することで、仮設タンク装置の、必要とする容量を適切に得ることができる。
【００４２】
また、請求項５に記載された仮設タンク装置によれば、請求項４の効果に加えて、仮設タンクを略直方体形状に形成することで、この仮設タンクを、容易に積み上げることができる。さらに、この仮設タンクを、左右とか前後に並べる場合には、それら仮設タンクを密に並べることができ、設置場所のスペースを有効に使用することができる。
【００４３】
また、請求項６に記載された仮設タンク装置によれば、請求項１ないし５のいずれか１項の効果に加えて、仮設タンクを、袋と保護枠体とで構成することで、漏洩防止機能と強度とを備えた仮設タンクを簡単に得ることができる。
【００４４】
また、請求項７に記載された仮設タンク装置によれば、仮設タンクを配置することで、既設タンクの、補修とか補強等の作業を、制限を受けずに行なうことができる。
【００４５】
また、請求項８に記載された仮設タンク装置によれば、請求項７の効果に加えて、仮設タンクを、袋と保護枠体とで構成することで、漏洩防止機能と強度とを備えた仮設タンクを簡単に得ることができる。
【００４６】
また、請求項１０に記載された仮設タンク装置によれば、請求項１ないし８のいずれか１項の効果に加えて、既設タンクの周りにスペースがない場合であっても、仮設タンクを、既設タンクの屋根の上に配置することで、この仮設タンク装置を配備することができる。
【００４７】
また、請求項１１に記載された仮設タンク装置によれば、請求項１ないし８のいずれか１項の効果に加えて、既設タンクの周りに、仮設タンクを直接置くだけのスペースがない場合であっても、仮設タンクを、既設タンクに近接して設けられた架台の上に配置することで、この仮設タンク装置を配備することができる。
【図面の簡単な説明】
【図１】この発明に係る仮設タンク装置の一実施の形態の、平面視模式図である。
【図２】同じく、接続部分を省略した概略の斜視図である。
【図３】同じく、要部拡大斜視図である。
【図４】この発明に係る仮設タンク装置の他の実施の形態の、第１の変形例の、平面視模式図である。
【図５】同じく、第２の変形例の、平面視模式図である。
【図６】同じく、第３の変形例の、接続部分を省略した概略の斜視図である。
【図７】同じく、第４の変形例の、縦断面図である。
【図８】同じく、第５の変形例の、縦断面図である。
【図９】同じく、第６の変形例の、接続部分を省略した概略の正面図である。
【図１０】同じく、第７の変形例の、平面視模式図である。
【符号の説明】
１  既設タンク                    １ａ  屋根
２  第１供給管                    ３  第２供給管
４  仮設タンク装置                ５  仮設タンク
５ａ  タンク間接続部              ５ｂ  第１接続部
５ｃ  第２接続部                  ５ｄ  袋
５ｅ  保護枠体
６  伸縮可撓継手（中間部材）      １０  接続管（中間部材）
Ｍ  中間部材                      Ｘ  共用接続部
【図１】
2004307037.tif 000003
【図２】
2004307037.tif 000004
【図３】
2004307037.tif 000005
【図４】
2004307037.tif 000006
【図５】
2004307037.tif 000007
【図６】
2004307037.tif 000008
【図７】
2004307037.tif 000009
【図８】
2004307037.tif 000010
【図９】
2004307037.tif 000011
【図１０】
2004307037.tif 000012